【手続補正書】
【提出日】令和2年3月25日(2020.3.25)
【手続補正１】
【補正対象書類名】特許請求の範囲
【補正対象項目名】全文
【補正方法】変更
【補正の内容】
【特許請求の範囲】
【請求項１】
適応コンテンツ配信ネットワーク切替デバイスであって、
プロセッサと、
ネットワークインターフェースと、
前記プロセッサに接続されるメモリであって、前記メモリは、コンテンツ配信ネットワーク切替アプリケーションを含む、メモリと
を備え、
前記コンテンツ配信ネットワーク切替アプリケーションは、前記プロセッサに、
複数のコンテンツ配信ネットワークを説明するマニフェストをマニフェストサーバシステムから受信することと、
前記受信されたマニフェストから選択される第１のコンテンツ配信ネットワークを決定することと、
コンテンツを前記第１のコンテンツ配信ネットワークから受信することと、
性能閾値が満たされているかどうかを評価することと、
前記受信されたマニフェストから代替コンテンツ配信ネットワークを選択することと、
新しいコンテンツを前記代替コンテンツ配信ネットワークから受信することと、
前記第１のコンテンツ配信ネットワークおよび前記代替コンテンツ配信ネットワークの帯域幅を評価することと、
前記評価された帯域幅および前記性能閾値に基づいて、前記第１のコンテンツ配信ネットワークまたは前記代替コンテンツ配信ネットワークのうちのどちらかからの新しいコンテンツのためのさらなる要求を決定することと
を行うように指示する、適応コンテンツ配信ネットワーク切替デバイス。
【請求項２】
前記性能閾値は、バッファ閾値を満たすことを含む、請求項１に記載の適応コンテンツ配信ネットワーク切替デバイス。
【請求項３】
前記性能閾値は、動的に生成される、請求項１に記載の適応コンテンツ配信ネットワーク切替デバイス。
【請求項４】
前記性能閾値は、再生ビットレート閾値を満たすことを含む、請求項１に記載の適応コンテンツ配信ネットワーク切替デバイス。
【請求項５】
前記性能閾値は、ハイパーテキスト転送プロトコル（ＨＴＴＰ）４０４エラーが検出されるとき、満たされない、請求項１に記載の適応コンテンツ配信ネットワーク切替デバイス。
【請求項６】
前記性能閾値は、ハイパーテキスト転送プロトコル（ＨＴＴＰ）エラーが検出される場合、満たされない、請求項１に記載の適応コンテンツ配信ネットワーク切替デバイス。
【請求項７】
受信された前記新しいコンテンツは、以前に受信されたコンテンツと同一の品質レベルである、請求項１に記載の適応コンテンツ配信ネットワーク切替デバイス。
【請求項８】
前記コンテンツ配信ネットワーク切替アプリケーションは、前記プロセッサに、ハイパーテキスト転送プロトコル（ＨＴＴＰ）エラーを被る任意のコンテンツ配信ネットワークの記録を作成するようにさらに指示する、請求項１に記載の適応コンテンツ配信ネットワーク切替デバイス。
【請求項９】
前記コンテンツ配信ネットワーク切替アプリケーションは、前記プロセッサに、コンテンツをハイパーテキスト転送プロトコル（ＨＴＴＰ）エラーの記録内の任意のコンテンツ配信ネットワークから受信することを回避するようにさらに指示する、請求項８に記載の適応コンテンツ配信ネットワーク切替デバイス。
【請求項１０】
前記メモリはまた、受信されたコンテンツを再生するように前記プロセッサに指示するメディア再生アプリケーションを含む、請求項１に記載の適応コンテンツ配信ネットワーク切替デバイス。
【請求項１１】
適応コンテンツ配信ネットワーク切替のための方法であって、
マニフェストをマニフェストサーバシステムから受信することと、
前記マニフェストサーバシステムから受信された前記マニフェスト内の複数の特定のコンテンツ配信ネットワークから第１のコンテンツ配信ネットワークを決定することと、
コンテンツを前記第１のコンテンツ配信ネットワークから受信することと、
再生デバイス上での再生のための性能閾値が満たされているかどうかを評価することと、
前記受信されたマニフェストから代替コンテンツ配信ネットワークを選択することと、
前記再生デバイス上で新しいコンテンツを前記代替コンテンツ配信ネットワークから受信することと、
前記第１のコンテンツ配信ネットワークおよび前記代替コンテンツ配信ネットワークの帯域幅を前記再生デバイス上で評価することと、
前記評価された帯域幅および前記性能閾値に基づいて、前記第１のコンテンツ配信ネットワークまたは前記代替コンテンツ配信ネットワークのうちのどちらかからの新しいコンテンツのためのさらなる要求を決定することと
を含む、方法。
【請求項１２】
前記性能閾値は、バッファ閾値を満たすことを含む、請求項１１に記載の方法。
【請求項１３】
前記バッファ閾値は、少なくとも６秒である、請求項１２に記載の方法。
【請求項１４】
前記性能閾値は、最小再生ビットレート閾値を満たすことを含む、請求項１１に記載の方法。
【請求項１５】
前記性能閾値は、ハイパーテキスト転送プロトコル（ＨＴＴＰ）４０４エラーが検出される場合、満たされない、請求項１１に記載の方法。
【請求項１６】
前記性能閾値は、ハイパーテキスト転送プロトコル（ＨＴＴＰ）エラーが検出される場合、満たされない、請求項１１に記載の方法。
【請求項１７】
受信された前記新しいコンテンツは、以前に受信されたコンテンツと同一の品質レベルである、請求項１１に記載の方法。
【請求項１８】
前記コンテンツ配信ネットワーク切替アプリケーションは、前記プロセッサに、ハイパーテキスト転送プロトコル（ＨＴＴＰ）エラーを被る任意のコンテンツ配信ネットワークを記録するようにさらに指示する、請求項１１に記載の方法。
【請求項１９】
前記コンテンツ配信ネットワーク切替アプリケーションは、前記プロセッサに、コンテンツをハイパーテキスト転送プロトコル（ＨＴＴＰ）エラーの記録内の任意のコンテンツ配信ネットワークから受信することを回避するようにさらに指示する、請求項１８に記載の方法。
【請求項２０】
前記メモリはまた、受信されたコンテンツを再生するように前記プロセッサに指示するメディア再生アプリケーションを含む、請求項１１に記載の方法。
【請求項２１】
前記第１のコンテンツ配信ネットワークおよび前記代替コンテンツ配信ネットワークの帯域幅の評価は、１つまたは複数のバッファ条件が満たされるという検証によって生じる、請求項３に記載の適応コンテンツ配信ネットワーク切替デバイス。
【請求項２２】
前記性能閾値は、前記再生デバイス上で動的に生成される、請求項１１に記載の方法。
【請求項２３】
前記第１のコンテンツ配信ネットワークおよび前記代替コンテンツ配信ネットワークの帯域幅の評価は、１つまたは複数のバッファ条件が満たされるという検証によって生じる、請求項１１に記載の方法。
【手続補正２】
【補正対象書類名】明細書
【補正対象項目名】００１８
【補正方法】変更
【補正の内容】
【００１８】
別の付加的実施形態では、適応コンテンツ配信ネットワーク切替のための方法は、コンテンツを第１のコンテンツ配信ネットワークから受信するステップと、受信されたコンテンツからの再生変数に基づいて、最小性能閾値を決定するステップと、最小性能閾値が満たされない場合、新しいコンテンツを第２のコンテンツ配信ネットワークから受信するステップとを含む。
本発明は、例えば、以下を提供する。
（項目１）
適応コンテンツ配信ネットワーク切替デバイスであって、
プロセッサと、
ネットワークインターフェースと、
前記プロセッサに接続されるメモリであって、前記メモリは、コンテンツ配信ネットワーク切替アプリケーションを含む、メモリと
を備え、
前記コンテンツ配信ネットワーク切替アプリケーションは、前記プロセッサに、
コンテンツを第１のコンテンツ配信ネットワークから受信することと、
前記受信されたコンテンツからの再生変数に基づいて、最小性能閾値を決定することと、
前記最小性能閾値が満たされない場合、新しいコンテンツを第２のコンテンツ配信ネットワークから受信することと
を行うように指示する、適応コンテンツ配信ネットワーク切替デバイス。
（項目２）
前記最小性能閾値は、最小バッファ閾値を満たすことを含む、項目１に記載の適応コンテンツ配信ネットワーク切替デバイス。
（項目３）
前記バッファ閾値は、少なくとも６秒である、項目２に記載の適応コンテンツ配信ネットワーク切替デバイス。
（項目４）
前記最小性能閾値は、最小再生ビットレート閾値を満たすことを含む、項目１に記載の適応コンテンツ配信ネットワーク切替デバイス。
（項目５）
前記最小性能閾値は、ハイパーテキスト転送プロトコル（ＨＴＴＰ）４０４エラーが検出される場合、満たされない、項目１に記載の適応コンテンツ配信ネットワーク切替デバイス。
（項目６）
前記最小性能閾値は、ハイパーテキスト転送プロトコル（ＨＴＴＰ）エラーが検出される場合、満たされない、項目１に記載の適応コンテンツ配信ネットワーク切替デバイス。
（項目７）
受信された前記新しいコンテンツは、同一品質レベルである、項目１に記載の適応コンテンツ配信ネットワーク切替デバイス。
（項目８）
前記コンテンツ配信ネットワーク切替アプリケーションはさらに、前記プロセッサに、ハイパーテキスト転送プロトコル（ＨＴＴＰ）エラーを被る任意のコンテンツ配信ネットワークの記録を作成するように指示する、項目１に記載の適応コンテンツ配信ネットワーク切替デバイス。
（項目９）
前記コンテンツ配信ネットワーク切替アプリケーションはさらに、前記プロセッサに、コンテンツをハイパーテキスト転送プロトコル（ＨＴＴＰ）エラーの記録内の任意のコンテンツ配信ネットワークからの第２のコンテンツ配信ネットワークから受信することを回避するように指示する、項目８に記載の適応コンテンツ配信ネットワーク切替デバイス。
（項目１０）
前記メモリはまた、前記プロセッサにコンテンツを再生するように指示する、メディア再生アプリケーションを含む、項目１に記載の適応コンテンツ配信ネットワーク切替デバイス。
（項目１１）
適応コンテンツ配信ネットワーク切替のための方法であって、
コンテンツを第１のコンテンツ配信ネットワークから受信するステップと、
前記受信されたコンテンツからの再生変数に基づいて、最小性能閾値を決定するステップと、
前記最小性能閾値が満たされない場合、新しいコンテンツを第２のコンテンツ配信ネットワークから受信するステップと
を含む、方法。
（項目１２）
前記最小性能閾値は、最小バッファ閾値を満たすことを含む、項目１１に記載の方法。
（項目１３）
前記バッファ閾値は、少なくとも６秒である、項目１２に記載の方法。
（項目１４）
前記最小性能閾値は、最小再生ビットレート閾値を満たすことを含む、項目１１に記載の方法。
（項目１５）
前記最小性能閾値は、ハイパーテキスト転送プロトコル（ＨＴＴＰ）４０４エラーが検出される場合、満たされない、項目１１に記載の方法。
（項目１６）
前記最小性能閾値は、ハイパーテキスト転送プロトコル（ＨＴＴＰ）エラーが検出される場合、満たされない、項目１１に記載の方法。
（項目１７）
受信された前記新しいコンテンツは、同一品質レベルである、項目１１に記載の方法。
（項目１８）
前記コンテンツ配信ネットワーク切替アプリケーションはさらに、前記プロセッサに、ハイパーテキスト転送プロトコル（ＨＴＴＰ）エラーを被る任意のコンテンツ配信ネットワークを記録するように指示する、項目１１に記載の方法。
（項目１９）
前記コンテンツ配信ネットワーク切替アプリケーションはさらに、前記プロセッサに、コンテンツをハイパーテキスト転送プロトコル（ＨＴＴＰ）エラーの記録内の任意のコンテンツ配信ネットワークからの第２のコンテンツ配信ネットワークから受信することを回避するように指示する、項目１８に記載の方法。
（項目２０）
前記メモリはまた、前記プロセッサにコンテンツを再生するように指示するメディア再生アプリケーションを含む、項目１１に記載の方法。